(57)【要約】【課題】製品部から打ち抜き分離された打抜き屑が、製品部の上や雌型の上に巻き上げられることを防ぐように改良された屑巻上げ防止機構を備えたストリッピング型を提供する。【解決手段】シートＳの製品部Ｂから打抜き屑ｂを分離するストリッピング型Ａの雄型Ａ１と雌型Ａ２のうち、雄型Ａ１は、製品部Ｂの展開形状に沿って配設される屑押出し部材２と、屑押出し部材２により打抜き屑ｂが製品部Ｂから打ち抜き分離されるときに、打抜き屑ｂを串刺し保持する屑押え部材３とを備え、雌型Ａ２は、製品部Ｂの展開形状と相似形状に形成されて、製品部Ｂ全体を表側において支持可能とされ、打抜き屑ｂが屑押出し部材２によって製品部Ｂから雌型Ａ２の裏側に打ち抜き分離されたときに、打ち抜き分離された打抜き屑ｂが雌型Ａ２の上などに巻き上げられないように雌型Ａ２の裏側に受け止め係止する屑受止め部１３，１４を備えている。【選択図】図１
2010110888.tif 000002
【特許請求の範囲】
【請求項１】
展開形状に打ち抜き処理されたシートの製品部から打抜き屑を分離する雄型と雌型とを備えて構成されているストリッピング型であって、
前記雄型は、前記製品部の前記展開形状に沿って配設される屑押出し部材を備え、かつ、前記屑押出し部材により前記打抜き屑が前記製品部から打ち抜き分離されるときに、前記打抜き屑を串刺し保持する屑押え部材を備え、
前記雌型は、前記製品部の前記展開形状と略相似形状に形成されて前記製品部全体を前記雄型との対面側において支持可能となし、かつ、前記打抜き屑が前記屑押出し部材によって前記製品部から前記対面側に対し、前記雌型の反対側に打ち抜き分離されたときに、当該反対側において前記打抜き屑を受け止め係止する屑受止め部を備えていることを特徴とする屑巻上げ防止機構を備えたストリッピング型。
【請求項２】
前記屑押出し部材は、前記製品部の前記展開形状に沿いその展開縁部方向に所定の間隔をおいて並列状に配設されて、当該展開縁部に沿って一連に連なった状態で前記製品部に繋ぎ部を介して繋ぎ止められている前記打抜き屑を、前記屑受止め部との協同で短尺に分断し、短尺に分断された前記打抜き屑を前記屑押え部材との協同で前記雌型の前記反対側に打ち抜き分離するようになし、
前記屑受止め部は、前記屑押出し部材の間に対応して前記雌型の外周縁部に備えられて、短尺に分断された前記打抜き屑を前記雌型の前記反対側に受け止め係止するように形成されていることを特徴とする請求項１に記載の屑巻上げ防止機構を備えたストリッピング型。
【請求項３】
前記雌型は、外周縁部に沿って、該外周縁部との間に前記打抜き屑の屑落し空間を確保するように外枠部材を備えていることを特徴とする請求項１または請求項２に記載の屑巻上げ防止機構を備えたストリッピング型。
【請求項４】
前記屑押え部材は、前記打抜き屑を串刺し保持する串刺し刃を備えて、前記打抜き屑が前記製品部から打ち抜き分離されるときに、前記屑受止め部に近い位置にて前記打抜き屑を串刺し保持するように、前記雄型に配設されていることを特徴とする請求項１〜３のいずれかに記載の屑巻上げ防止機構を備えたストリッピング型。
【請求項５】
前記屑押え部材は、前記串刺し刃を有する支持部と、
この支持部の外側に摺動可能に被嵌されて、前記雄型が前記雌型から離間するときに、前記シートに対する前記支持部の串刺し状態を解除するための串刺し解除部と、
この串刺し解除部を前記支持部の前記串刺し刃方向に付勢する弾発材と、を備えて構成されていることを特徴とする請求項１〜４のいずれかに記載の屑巻上げ防止機構を備えたストリッピング型。
【請求項６】
前記屑受止め部は、前記打抜き屑を短尺に分断する屑分断部を備えていることを特徴とする請求項１〜５のいずれかに記載の屑巻上げ防止機構を備えたストリッピング型。
【請求項７】
前記屑受止め部は、前記雌型を形成する型板を削り加工することで、該雌型の外周縁部に外向き突出状に備えられていることを特徴とする請求項１〜６のいずれか１項に記載の屑巻上げ防止機構を備えたストリッピング型。
【発明の詳細な説明】
【技術分野】
【０００１】
本発明は、屑巻上げ防止機構を備えたストリッピング型に係り、特に、段ボール紙、厚紙などの紙製素材からなるシートに箱体などの展開形状に打ち抜き処理された後に、シートの製品部から不要な打抜き屑を打ち抜き分離するための雄型と雌型とを備えて構成されているストリッピング型に関する。
【背景技術】
【０００２】
例えば、包装用箱体は、段ボール紙、厚紙などの紙製素材からなるシート（ブランクシート）から包装すべき内容物によって様々な製品形状に自動製函機によって打ち抜かれて形成される。また、同じく、包装用箱体内を内容物に応じて様々に仕切るように内設される仕切り体も自動製函機によって打ち抜かれて形成される。
自動製函機では、まず、製函ラインにシートが給紙され、製函ラインに装備されている雄型と雌型とを有する平盤打抜き型装置によってシートに展開された製品形状（箱体の展開形状）が裁断される打ち抜き処理（切り込み処理）が行われる。このとき、製品形状に裁断された製品部と製品部以外の打抜き屑とは繋ぎ部を介してシートに繋ぎ止められている。
つぎに、製函ラインにおける平盤打抜き型装置のデリバリー部に装備されている雄型と雌型とを有するストリッピング型によってシートの製品部から不要な打抜き屑を打ち抜いて分離して除去する打抜き屑の分離処理（ストリッピング処理）が行われることで、展開された包装用箱体などが製作されるようになっている。
【０００３】
近年では、自動製函機による包装用箱体などの展開された製品部を、シートから打ち抜き加工することが高速化されてきており、このよう状況に対応させたストリッピング型の開発が求められてきている。特に、平盤打抜き型装置によって打ち抜き処理された後に、繋ぎ部を介して製品部に繋ぎ止められている不要な打抜き屑を製品部から分離して除去するためのストリッピング型の高速化対応が求められてきている。
【０００４】
そこで、展開された製品形状に打ち抜き処理されたシートの製品部から不要な打抜き屑を分離して除去するためのストリッピング型としては、例えば、特許文献１から特許文献３などにおいて知られている。
【先行技術文献】
【特許文献】
【０００５】
【特許文献１】特開平１０−５９４号公報
【特許文献２】特開２０００−３０８９９５号公報
【特許文献３】特開２００７−１７５８０５号公報
【発明の概要】
【発明が解決しようとする課題】
【０００６】
しかしながら、特許文献１〜特許文献３において開示されている従来技術では、雌型の表側に搬入支持されたシートの製品部から打ち抜かれて雌型の裏側に向けて分離された不要な打抜き屑が、雌型の表側に巻き上げられることを防ぐ打抜き屑の屑巻上げ防止機構などを備えていない。
そのために、従来技術では、雄型の降下移動によって、雄型に備えられている屑押出し部材により製品部から打抜き屑を雌型の裏側に打ち抜き分離させた後に、雄型が上昇移動して雌型の上方に戻るときに、製品部から分離された打抜き屑が雌型の上や製品部の上に巻き上げられる（舞い上げられる）ことがある。
特に、打抜き屑を打ち抜き分離する分離ショット速度が高速で行われた場合などには、雄型が雌型から離れるときの雄型の上昇移動時に発生する風圧などによって分離された打抜き屑が雌型の上や製品部の上に巻き上げられることが起き易いものとなっていた。
【０００７】
打ち抜き分離された打抜き屑が、雌型の上に跳ね上った場合などには、つぎに雌型の上に搬入されたシートの製品部から打抜き屑を打ち抜き分離する分離ショット作業の妨げになるなどのおそれがあった。
また、製品部の上に打抜き屑が巻き上げられた場合には、製品部が数十枚単位で重ねられて商品の包装メーカに搬出されるときに、重ねられた製品部の間に打抜き屑が混入し、メーカの信頼性を低下させることになっていた。
【０００８】
そこで、本発明は、前記課題を解消するために創案されたものであり、製品部から打ち抜き分離された打抜き屑が、製品部の上や雌型の上に巻き上げられることを防ぐ打抜き屑の巻上げ防止機構を備えたストリッピング型を提供することにある。
【課題を解決するための手段】
【０００９】
前記課題を解決するために、本発明では、展開形状に打ち抜き処理されたシートの製品部から打抜き屑を分離する平盤型合わせの雄型と雌型とを備えて構成されているストリッピング型であって、
前記雄型は、前記製品部の前記展開形状に沿って配設される屑押出し部材を備え、かつ、前記屑押出し部材により前記打抜き屑が前記製品部から打ち抜き分離されるときに、前記打抜き屑を串刺し保持する屑押え部材を備えてなり、前記雌型は、前記製品部の前記展開形状と相似形状に形成されて、該製品部全体を前記雄型との対面側において支持可能とされ、かつ、前記打抜き屑が前記屑押出し部材によって前記製品部から前記対面側に対し前記雌型の反対側に打ち抜き分離されたときに、分離された前記打抜き屑が前記雌型の上に巻き上げられること防ぐように該打抜き屑を受け止め係止する屑受止め部を備えていることを特徴とする。
【００１０】
ここで、前記屑押出し部材は、前記製品部の前記展開形状に沿いその展開縁部方向に所定の間隔をおいて並列状に配設されて、当該展開縁部に沿って一連に連なった状態で前記製品部に繋ぎ部を介して繋ぎ止められている前記打抜き屑を、前記屑受止め部との協同で短尺に分断し、短尺に分断された前記打抜き屑を前記屑押え部材との協同で前記雌型の前記反対側に打ち抜き分離するようになし、前記屑受止め部は、前記屑押出し部材の間に対応して前記雌型の外周縁部に備えられて、短尺に分断された前記打抜き屑を前記雌型の前記反対側に受け止め係止するように形成されていることが好適なものとなる。
【００１１】
そして、前記屑受止め部は、前記雌型を形成する型板を削り加工することで、該雌型の外周縁部に外向き突出状に備えられていることが好適なものとなり、また、前記屑受止め部は、前記打抜き屑を短尺に分断する屑分断部を備えていることが好適なものとなる。
【００１２】
また、前記屑押え部材は、前記打抜き屑を串刺し保持する串刺し刃を備えて、前記打抜き屑が前記製品部から打ち抜き分離されるときに、前記屑受止め部に近い位置にて前記打抜き屑を串刺し保持するように、前記雄型に配設されていることが好適なものとなる。
【００１３】
また、前記雌型の外周縁に沿って、該外周縁との間に少なくとも前記打抜き屑の打抜き幅に相当する空間を確保するように外枠部材を備えていることが好適なものとなる。
前記雌型の対面側とは、主に雌型の表側を意味し、反対側とは、主に雌型の裏側を意味する。
【００１４】
このような構成によれば、雄型の屑押出し部材により、製品部から雌型の裏側に打ち抜き分離された打抜き屑は、雌型に備えられている屑受止め部によって受止め係止される。これにより、雄型が雌型から離れる雄型の移動のときに、打ち抜き分離された打抜き屑が製品部の上や雌型の上に巻き上げられる（舞い上げられる）ことを防ぐことができる。このとき、打抜き屑は、屑押出し部材の並列方向の幅に相当する長さの短尺に分断されて雌型の裏側に打ち抜き分離され、分断縁部が屑受止め部に受け止め係止される。
また、雄型の屑押出し部材によって雌型の裏側に打ち抜き分離された打抜き屑の跳ね上りを、雌型の外周縁に沿って備えられている外枠部材によって防ぐことができる。つまり、分離された打抜き屑の跳ね上がりを、分離屑受け止めと外枠部材との協同でより確実に防ぐことができる。
【００１５】
また、本発明では、前記屑押え部材が、先端に串刺し刃を有する支持部と、この支持部の外側に摺動可能に被嵌されて、前記雄型が前記雌型から離間するときに、前記シートに対する前記支持部の串刺し状態を解除するための串刺し解除部と、この串刺し解除部を前記支持部の前記串刺し刃方向に付勢する弾発材とを備えて構成されていることを特徴とする。
【００１６】
このような構成によれば、前記のように、製品部から打抜き屑が打ち抜き分離されるときに、雌型の上にシートを串刺し保持する屑押え部材は、串刺し刃を有する支持部に、シート（打抜き屑）に対する串刺し状態を解除させるための串刺し解除部を串刺しバネ材により串刺し刃方向に付勢させて備えている構成としていることで、打抜き屑を雌型の裏側に打ち抜き分離させた後に、雄型が雌型から離間する雄型の移動のときに、シート（打抜き屑）に対する串刺し状態を確実に解除させることができる。
【発明の効果】
【００１７】
本発明の屑巻上げ防止機構を備えたストリッピング型は、以上のように構成されていることで、雄型の屑押出し部材によって雌型の裏側に打ち抜き分離された打抜き屑を、雌型側に備えられている屑受け止め部によって受け止め係止することができることで、雄型が雌型から勢いよく離れる動きによって打抜き屑が製品部の上や雌型の上（表側）に巻き上げられる（舞い上げられる）ことを確実に防ぐことができる。
これにより、打抜き屑を製品部から打ち抜き分離する打抜きショット速度の高速化に対応してシートの製品部からの打抜き屑の打ち抜き分離が可能となる。換言すれば、包装用箱体などを効率的に製函することが可能となる。
【００１８】
また、打抜き屑を製品部から打ち抜き分離するときに、雌型の表面上に支持される製品部が決められた位置から動かないように、シート（打抜き屑）を串刺し状態で保持する屑押え部材は、串刺し刃を有する支持部と、この支持部の外側に摺動可能に被嵌されて、シートに対する支持部の串刺し状態を串刺し解除スプリングの弾発力により解除するための串刺し解除部とを備えて構成されていることで、雄型が雌型から離間するときに、屑押出し部材によって製品部から雌型の裏側に打ち抜き分離された打抜き屑に対する串刺し状態は確実に解除される。
これにより、屑受止め部による打抜き屑の受け止め係止との協同で、雄型が雌型から勢いよく離間（上昇移動）する動きによって打抜き屑が製品部の上や雌型の表側に巻き上げられることをより一層効果的に、確実に防ぐことができる。
【図面の簡単な説明】
【００１９】
【図１】第１の実施形態に係る屑巻上げ防止機構を備えたストリッピング型の雄型と雌型を示す概略斜視図である。
【図２】打ち抜き処理されたシートの製品部の一例を示し、（ａ）は、同シートの斜視図であり、（ｂ）は、打抜き屑の斜視図であり、（ｃ）は、短尺に分断された打抜き屑の斜視図である。
【図３】雄型を示し、（ａ）は、同雄型の底面図であり、（ｂ）は、（ａ）のｂ−ｂ線拡大縦断面図である。
【図４】雌型を示し、（ａ）は、同雌型の平面図であり、（ｂ）は、（ａ）のｂ−ｂ線拡大縦断面図であり（ｃ）は、（ａ）のｃ−ｃ線拡大縦断面図である。
【図５】雄型の降下移動に伴い外屑が製品部から打ち抜き分離されるときの状態を段階的に示す拡大側面図であり、（ａ）は、シートが搬入された雌型に向けて雌型が降下移動を開始した状態を示し、（ｂ）は、外屑が雄型の屑押え部材によって串刺し保持された状態を示し、（ｃ）は、雄型の屑押出し部材によって外屑が雌型の裏側に打抜き分離された状態を示し、（ｄ）は、雄型が上昇移動し、分離された外屑が、雌型側に備えられている屑受止め部に受け止め係止された状態を示す。
【図６】同図５の（ａ）（ｂ）（ｃ）（ｄ）の各状態を示す拡大縦断面図である。
【図７】雄型の降下移動に伴い外屑が製品部から打ち抜き分離されるときの屑排出部の動き（弾性変形）を段階的に示す拡大縦断面図であり、（ａ）は、シートが搬入された雌型に向けて雌型が降下移動を開始した状態を示し、（ｂ）は、外屑が雄型の屑押出し部材によって製品部から打ち抜きされる直前の状態を示し、（ｃ）は、外屑が雄型の屑押出し部材によって雌型の裏側に打ち抜き分離される途中の状態を示し、（ｄ）は、雄型が上昇移動し、製品部から分離された外屑が、雌型の屑排出部に受け止め係止された状態を示す。
【図８】雄型の降下移動に伴い内屑が製品部から打ち抜き分離されるときの状態を段階的に示す拡大縦断面図であり、（ａ）は、シートが搬入された雌型に向けて雌型が降下移動を開始した状態を示し、（ｂ）は、内屑が雄型の屑押出し部材によって製品部から打ち抜かれる直前の状態を示し、（ｃ）は、内屑が雄型側の屑押出し部材によって雌型の裏側に打ち抜き分離された状態を示し、（ｄ）は、雄型が上昇移動限に戻り、分離された内屑が、雌型の分離屑受止め部に受け止め係止された状態を示す。
【図９】第２の実施形態に係る屑巻上げ防止機構を備えたストリッピング型を構成する雄型および雌型を示す斜視図である。
【図１０】雌型の一部を示し、（ａ）は、同一部の拡大斜視図であり、（ｂ）は、（ａ）のｂ−ｂ線拡大縦断面図であり（ｃ）は、（ａ）のｃ−ｃ線拡大縦断面図である。
【図１１】雄型の降下移動に伴い外屑が製品部から打ち抜き分離されるときの状態を段階的に示す拡大縦断面図であり、（ａ）は、シートが搬入された雌型に向けて雌型が降下移動を開始した状態を示し、（ｂ）は、外屑が雄型の屑押え部材によって串刺し保持された状態を示す。
【図１２】図１１に示す外屑が製品部から打ち抜き分離されるとき次の段階を示す拡大縦断面図であり、（ａ）は、雄型の屑押出し部材によって外屑が雌型の裏側に打抜き分離された状態を示し、（ｂ）は、雄型が上昇移動し、分離された外屑が、雌型の屑受止め部および第２の屑受止め部に受け止め係止された状態を示す。
【図１３】第３の実施形態に係る屑巻上げ防止機構を備えたストリッピング型を構成する雄型および雌型を示す斜視図である。
【図１４】雄型の一部（屑押え部材）を示す拡大縦断面図である。
【図１５】雌型の一部（屑受止め部）を示す拡大斜視図である。
【図１６】図１５のＸＶＩ−ＸＶＩ線縦断面図である。
【図１７】図１６のＸＶＩＩ−ＸＶＩＩ線縦断面図である。
【図１８】屑分断部を備える屑受止め部の他の実施形態示す同縦断面図である。
【図１９】雄型の降下移動に伴い外屑が製品部から打ち抜き分離されるときの状態を段階的に示す拡大縦断側面図であり、（ａ）は、シートが搬入された雌型に向けて雌型が降下移動を開始した状態を示し、（ｂ）は、外屑が雄型の屑押え部材によって串刺し保持された状態を示し、（ｃ）は、雄型の屑押出し部材によって外屑が雌型の裏側に打抜き分離される態を示し、（ｄ）は、外屑が雌型の裏側に打抜き分離された態を示し、（ｅ）は、雄型が上昇移動し、分離された外屑が、雌型側に備えられている屑受止め部によって受け止め係止された状態を示す。
【発明を実施するための形態】
【００２０】
以下、本発明の実施形態について、適宜図面を参照しながら詳細に説明する。
図１は、第１の実施形態に係る屑巻上げ防止機構を備えたストリッピング型の雄型と雌型を示す概略斜視図であり、図２は、打ち抜き処理されたシートの一例を示す斜視図である。
なお、本実施形態では、打ち抜き処理によってシートに形成される製品部Ｂの一例として、図２に示すように、包装用箱体内に内設される仕切り板を挙げて説明する。
【００２１】
≪第１の実施形態に係るストリッピング型の構成≫
ストリッピング型Ａは、図示省略の打抜き型装置によって展開形状に打ち抜き処理されたシートＳの製品部Ｂから打抜き屑ｂを分離するように構成されている。
このストリッピング型Ａは、図１に示すように、雄型Ａ１と、この雄型Ａ１の下方に設置される雌型Ａ２とを備えて構成されている。
【００２２】
なお、打抜き屑ｂには、図２に示すように、展開された製品部Ｂの展開縁部に沿って一連に連なった状態で打ち抜き処理（切り込み処理）された後に、製品部Ｂから打ち抜き分離される外屑（トリムとも称されている）ｂ１と、製品部Ｂの内側において打ち抜き処理された後に製品部Ｂから打ち抜き分離される内屑（孔形成屑とも称されている）ｂ２がある。
【００２３】
≪雄型の構成≫
図３は、雄型を示す底面図および要部の拡大縦断面図である。ここでは、図１を適宜参照しながら説明する。
雄型Ａ１は、打ち抜き処理されたシートＳが雌型Ａ２の上に搬入されたときに、雌型Ａ２に向けて降下するように、雌型Ａ２の上方において上下動自在に配設される。
【００２４】
この雄型Ａ１は、適宜の板厚を有する合板などの板材を用いて、展開形状の製品部Ｂが打ち抜き処理されるシートＳよりも広い面積にて形成される型板１を備えている。
そして、雌型Ａ１は型板１の下面に、図１および図３に示すように、打ち抜き処理されたシートＳの製品部Ｂの展開形状に沿ってそれぞれ配設される屑押出し部材２と、屑押え部材３とを備えている。
【００２５】
≪屑押出し部材の構成≫
屑押出し部材２は、製品部の展開形状に沿いその展開縁部方向に所定の横幅を有し、下端に屑押圧部２ａを有する縦断面視で略Ｌ字形状に形成されている。
そして、屑押出し部材２は、後記図６の（ｂ）に示すように、打ち抜き処理によりシートＳに形成される製品部Ｂの打抜き切断線Ｘに近接する位置において打抜き屑ｂを押圧し、なおかつ、図３に示すように、打抜き切断線Ｘに沿い、その打抜き切断線Ｘ方向に所定の間隔をおいて型板１の下面にそれぞれ配設される。
つまり、屑押出し部材２は、図３の（ａ）に示すように、シートＳの打抜き屑ｂとそれぞれ対応する位置において型板１の下面に植設されて、その内側に雌型Ａ２が型合わせ嵌合されるようになっている。
【００２６】
≪屑押え部材の構成≫
屑押え部材３は、屑押出し部材２によって製品部Ｂから打抜き屑ｂが打ち抜き分離（押し出し分離）される直前において、雌型Ａ２の上に搬入されているシートＳ、特に、製品部Ｂに繋ぎ部Ｐを介して繋ぎ止められている打抜き屑ｂを串刺し状態にて保持する。つまり、製品部Ｂから打抜き屑ｂが打ち抜き分離されるときに、シートＳが雌型Ａ２上の定位置（所定位置）から移動しないように串刺し保持する役目と、製品部Ｂから分離された打抜き屑ｂを、屑押出し部材２との協同で雌型Ａ２の裏側に押し出す役目を成す。
【００２７】
この屑押え部材３は、図３の（ｂ）に示すように、先端に串刺し刃４を有する支持部３ａと、この支持部３ａの外側に摺動可能に被嵌されて、雄型Ａ１が雌型Ａ２から離れるときに、打抜き屑ｂに対する支持部３ａの串刺し状態を解除するための串刺し解除部３ｂと、この串刺し解除部３ｂを支持部３ａの串刺し刃４方向に常時付勢するためのバネ材３ｃとを備えて構成されている。
【００２８】
支持部３ａは、所定の長さを有するピン形状に形成され、下端（先端）に略尖がり形状の串刺し刃４を備えているとともに、上端（後端）には止着鍔部５を備えている。
この支持部３ａは、型板１に下面突出状に植設される取付け筒体６の開口上端に止着鍔部５を圧入やネジ込みなどの適宜の止着手段によって止着されることで、長さ方向の上半部側が取付け筒体６に遊嵌状に内在され、下半部側が取付け筒体６から下方へと突出された状態で型板１に取り付けられる。
【００２９】
串刺し解除部３ｂは、取付け筒体６内に移動可能な遊嵌状に挿入される外径を有する所定の長さの円筒形状（パイプ形状）に形成され、その上端（後端）に抜止め鍔部７を備えている。
これにより、串刺し解除部３ｂは、取付け筒体５内に抜動不能で移動可能に組み込まれ、抜止め鍔部７と取付け筒体６内の支持部３aの止着鍔部５との間に弾装されるコイル形状のバネ材３ｃによって支持部２aの串刺し刃４方向に常時付勢されるようになっている。つまり、図３の（ｂ）に示すように、支持部３aの串刺し刃４を下端（先端）開口部内に没入状に包囲するようになっている。
【００３０】
そして、このように形成されている屑押え部材３は、図３の（ｂ）に示すように、雄型Ａ１の型板１の下面からの屑押出し部材２の押圧部２ａよりも串刺し解除部３ｂをわずかに下方に位置させた垂設寸法にて型板１の下面に取付け筒体６を介して植設されてそれぞれの位置に配設される。
【００３１】
具体的の述べると、図１および図３の（ａ）に示すように、各屑押出し部材２の側部に位置し、なおかつ、後記の図５に示すように、打抜き屑ｂが製品部Ｂから打ち抜き分離されるときに、屑受止め部３および後記の屑受止め部１４に近い位置にて打抜き屑ｂを串刺し保持するようにそれぞれ配設される。
これにより、屑押出し部材２の押圧部２ａによって打抜き屑ｂが製品部Ｂから雌型Ａ２の裏側に打ち抜き分離（押し出し分離）される直前において、図５の（ｂ）および後記の図６の（ｂ）に示すように、串刺し解除部３ｂから支持部３ａの串刺し刃４が外部に飛び出して雌型Ａ２上で、屑受止め部３，１４近くのシートＳの打抜き屑ｂ部分に突き刺さる串刺し状態で打抜き屑ｂを保持するようになっている。
つまり、雄型Ａ１が、図６の（ａ）に示す状態から（ｂ）に示す状態に降下移動することで、継続する雄型Ａ１の降下移動に伴って串刺し解除部３ｂの下端開口部が打抜き屑ｂに突き当たったときに、串刺し解除部３ｂはバネ材３ｃの弾発力に反して後退（上昇）する。これにより、支持部３ａの串刺し刃４が串刺し解除部３ｂから外部に飛び出し、串刺し刃４が打抜き屑ｂに突き刺さるシートＳの串刺し保持がなされるようになっている。
そして、さらに継続する雄型Ａ１の降下移動により打抜き屑ｂが屑押出し部材２によって製品部Ｂから雌型Ａ２の裏側へと打ち抜き分離され、打抜き屑ｂに掛かる屑押出し部材２の押圧が解かれたときに、串刺し解除部３ｂはバネ材３ｃの弾発力によって前進（下降）され、支持部３ａの串刺し刃４による打抜き屑ｂの串刺し保持状態を解除するようになっている（図６の（ｂ）の状態から（ｃ）の状態）。
【００３２】
また、雄型Ａ１は、図１および図３に示すように、型板１の下面要所に、打抜き屑ｂを製品部Ｂから打ち抜き分離するときに、シートＳの製品部Ｂを、雌型Ａ２との間で弾性的に支持するためのスポンジ材やゴム材その他の材料から形成されている弾性部材８を備えている。この弾性部材８は、型板１の下面からの屑押出し部材２の垂下寸法に相当する高さを有する略ブロック形状に形成されている。
これにより、雄型Ａ１と打抜き屑ｂが打ち抜き分離された製品部Ｂとを確実に分離するようにしている。つまり、雄型Ａ１の雌型Ａ２に対する型合わせによって製品部Ｂから打抜き屑ｂを打ち抜き分離させた後に、雄型Ａ１が雌型Ａ２から離れる上昇移動を開始したときに、製品部Ｂが屑押出し部材２の内側に引っ掛かるなどによって雄型Ａ１とともに上昇することを防ぐようにしている。
【００３３】
≪雌型の構成≫
図４は、雌型を示す平面図および要部の拡大縦断面図である。ここでは、図１および図２を適宜参照しながら説明する。
雌型Ａ２は、適宜の板厚を有する合板などの板材を用いて、シートＳに形成された製品部Ｂの展開形状と略相似形状（略同一形状）に形成されて、製品部Ｂを表側（雄型Ａ１との対面側）で支持可能とする型板９を備えている。
そして、雌型Ａ２は、図１および図４に示すように、外周縁部１０と、内側の横長開口部１１の短辺両縁部や四角開口部１２に四隅コーナー部に、製品部Ｂから打ち抜き分離された打抜き屑ｂを受け止め係止する屑巻上げ防止機構の屑受止め部１３をそれぞれ備えている。
【００３４】
また、雌型Ａ２は、外周縁部１０の要所に屑受止め部１３と協同で、打抜き屑ｂが受止め係止する合成樹脂やナイロンなどの弾性材料からなる屑巻上げ防止機構の屑受止め部１４をさらに備えている。
この屑受止め部１４は、図１および図４の（ａ）に示すように、外周縁部１０における屑受止め部１３の間に位置して配置されて、製品部Ｂから雌型Ａ２の裏側に打ち抜き分離された打抜き屑ｂを、屑受止め部１３との協同で受止め係止するようになっている。
【００３５】
≪屑受止め部の構成≫
屑受止め部１３は、雄型Ａ１側の屑押出し部材２によってシートＳの製品部Ｂから雌型Ａ２の裏側に打ち抜き分離された打抜き屑ｂが、雄型Ａ１が雌型Ａ２から離れる上昇移動を開始したときに、その動きによって製品部Ｂの上や雌型Ａ２の上に巻き上げられる（舞い上げられる）ことを防ぐべく、打抜き屑ｂを雌型Ａ２の裏側（雄型Ａ１との対面側に対し、反対側）に受け止め係止する役目を成すものである（図６参照）。
【００３６】
この屑受止め部１３は、雌型Ａ２を形成する型板９に削り加工を施すことで、図１および図４に示すように、雌型Ａ２の外周縁部１０において外向き突出状に形成される。そして、屑受止め部１３は、横長開口部１１や四角開口部１２においては、図４の（ｂ）および（ｃ）に示すように、抉られた凹みのように形成されて備えられている。
これにより、後記の図６の（ｃ）および（ｄ）に示すように、雄型Ａ１の屑押出し部材２によってシートＳの製品部Ｂから雌型Ａ２の裏側に打ち抜き分離される外屑ｂ１や内屑ｂ２などの打抜き屑ｂは、それぞれの屑受止め部１３によって受け止め係止されるので、雄型Ａ１が雌型Ａ２から離れる上昇移動のときに、外屑ｂ１や内屑ｂ２などの打抜き屑ｂが製品部Ｂの上や雌型Ａ２の上に巻き上げられる（舞い上げられる）ことを防ぐことができる。
【００３７】
[作用説明]
つぎに、以上のように構成されている第１の実施形態に係る屑巻上げ防止機構を備えたストリッピング型Ａの作用について簡単に説明する。
図５は、雄型の降下移動に伴い外屑が製品部から打ち抜き分離されるときの状態を段階的に示す要部の拡大側面図、図６は、同拡大縦断面図であり、図７は、雄型の降下移動に伴い外屑が製品部から打ち抜き分離されるときの屑排出部の動き（弾性変形）を段階的に示す要部の拡大縦断面図であり、図８は、雄型の降下移動に伴い内屑が製品部から打ち抜き分離されるときの状態を段階的に示す要部の拡大縦断面図である。ここでは、図２を適宜参照しながら説明する。
【００３８】
図５から図８のそれぞれの（ａ）に示す状態から雄型Ａ１がさらに降下移動し、図５から図８の（ｂ）に示すように、雄型Ａ１の各屑押出し部材２の屑押圧部２ａが製品部Ｂの外屑ｂ１や内屑ｂ２の各打抜き屑ｂに当たる。このとき、屑押出し部材２が外屑ｂ１や内屑ｂ２に当たる直前において、図５および図６の（ｂ）に示すように、屑押え部材３の支持部３ａの串刺し刃４が、屑受止め部１３，１４に近い位置で外屑ｂ１や内屑ｂ２に突き刺さる。これにより、雌型Ａ２上のシートＳは定位置に移動不能に串刺し保持される。
【００３９】
そして、さらに継続する雄型Ａ１の降下移動に伴い外屑ｂ１や内屑ｂ２の各打抜き屑ｂは、図５から図８のそれぞれの（ｃ）に示すように、屑押出し部材２に押されて雌型Ａ２の裏側に打ち抜き分離される。これにより、外屑ｂ１や内屑ｂ２は、製品部Ｂから除去される。このとき、図２の（ａ）および（ｂ）に示す各カット線Ｙから外屑ｂ１、内屑ｂ２は、図２の（ｃ）に示すように、短尺に分断される。
外屑ｂ１や内屑ｂ２が雌型Ａ２の裏側に向けて打ち抜き分離されると、屑押え部材３の串刺し解除部３ｂがバネ材３ｃによって支持部３ａの串刺し刃４方向に弾圧されて移動する。これにより、図５および図６のそれぞれの（ｃ）に示すように、支持部３ａの串刺し刃４による外屑ｂ１や内屑ｂ２の串刺し保持状態が解除される。
【００４０】
このようにして、外屑ｂ１や内屑ｂ２の各打抜き屑ｂが、雌型Ａ２の裏側に打ち抜き分離されると、雄型Ａ１は雌型Ａ２から離れる上昇移動を開始し、上昇待機位置に戻される。このとき、打ち抜き分離され、なおかつ、短尺に分断された外屑ｂ１は、図５および図６のそれぞれの（ｄ）に示すように、その分断端部が雌型Ａ２の外周縁部１０に備えられている屑受止め部１３によって受け止め係止され、なおかつ、その長さ方向の中央部位が屑排出部１４によって受け止め係止される。
一方、内屑ｂ２は、図８の（ｄ）に示すように、雌型Ａ２の横孔開口部１１や四角開口部１２に備えられている屑受止め部１３によって受け止め係止される。
【００４１】
このように構成されている第１の実施形態に係る屑巻上げ防止機構を備えたストリッピング型Ａによれば、雄型Ａ１の屑押出し部材２によって雌型Ａ２の上に支持されている製品部Ｂから雌型Ａ２の裏側に打ち抜き分離されてきた打抜き屑ｂ（外屑ｂ１、内屑ｂ２）は、雌型Ａ２に備えられている屑受止め部１３によって受け止め係止される。これにより、雄型Ａ１が雌型Ａ２から離れる上昇移動のときに、打ち抜き分離された打抜き屑ｂが製品部Ｂの上や雌型Ａ２の上に巻き上げられる（舞い上げられる）ことを防ぐことができる。
【００４２】
≪第２の実施形態に係るストリッピング型の構成≫
図９は、第２の実施形態に係る屑巻上げ防止機構を備えたストリッピング型を構成する雄型および雌型を示す斜視図であり、図１０は、雌型の一部（屑受止め部）を示す拡大斜視図および拡大縦断面図である。
なお、この第２の実施形態に係るストリッピング型Ａ−１では、図９および図１０に示すように、雌型Ａ２−１の外周縁部１０に沿って、該外周縁部１０との間に少なくとも打抜き屑ｂ（外屑ｂ１）の打抜き幅Ｌ（後記の図１１参照）に相当する分離屑落し空間１５を確保するように外枠部材１６を備えている。それ以外の構成要素においては前記の第１の実施形態に係るストリッピング型Ａと基本的に同じことから、同じ構成要素に同じ符号を付することで重複説明は省略する。
【００４３】
すなわち、図９および図１０に示すように、雌型Ａ２−１に外枠部材１６を一体に備えている。
この外枠部材１６は、前記した合板などの板材を用いて雌型Ａ２−１の型板９を分断・切削加工するときに、雌型Ａ２−１の三辺に沿う平面視で略コの字形状に形成されている。
そして、図１２に示すように、外枠部材１６と雌型Ａ２−１の外周縁部１０とにわたり両者を連結するように架橋状に装着される連結部材１７を備えている。
【００４４】
≪連結部材の構成≫
連結部材１７は、金属、合成樹脂その他の硬質材料からなる帯板材を、図１０に示すように、略クランク形状に折り曲げ形成されている。
そして、連結部材１７は、図１０の（ｂ）に示すように、両開放端部側が雌型Ａ２−１の外周縁部１０と外枠部材１６とそれぞれ形成されている凹み部１８に嵌合された状態でそれぞれネジ１９を用いて取り付けられるように形成されている。
【００４５】
このように形成されている連結部材１７は、前記の第１の実施形態詳述の雌型Ａ２の外周縁部１０に対する各屑受止め部１３と同じ配設位置において、雌型Ａ２−１と外枠部材１６とを架橋状に連結するようにそれぞれ取り付けられる。
これにより、連結部材１７の架橋部１７ａが、後記の図１２の（ｂ）に示すように、製品部Ｂから打ち抜き分離された外屑ｂ１を受け止め係止する屑受け部１３ａとして作用し、なおかつ、外屑ｂ１を雌型Ａ２−１の裏側に打ち抜き分離させるための屑落し空間（孔）１５を、雌型Ａ２−１の外周縁部１０と外枠部材１６との間に確保する。
【００４６】
また、図９および図１０に示すように、屑受止め部１３ａとして作用する各連結部材１７の架橋部１７ａの間には、外枠部材１６から雌型Ａ２−１の外周縁部１０の方向に向けた状態でさらに第２の屑受止め部２０が備えられている。
この第２の屑受止め部２０は、金属、合成樹脂、ナイロンその他の弾性材料からなる線材などを用いて形成され、図１０の（ａ）および（ｃ）に示すように、ネジ２１を用いて外枠部材１６に取り付けられる。
これにより、製品部Ｂから雌型Ａ２−１の裏側に打ち抜き分離された外屑ｂ１が、屑受止め部１３ａと第２の屑受止め部２０との協同によって、雄型Ａ１が雌型Ａ２−１から離れる上昇移動のときに、外屑ｂ１が製品部Ｂの上や雌型Ａ２−１の上に跳ね上らない（舞い上がらない）ように受け止め係止されるようにしている。つまり、製品部Ｂから打ち抜き分離された外屑ｂ１の製品部Ｂの上や雌型Ａ２−１の上に巻き上げられる（舞い上げられる）ことをより一層効果的に防ぐことができる構造としている。
【００４７】
[作用説明]
つぎに、以上のように構成されている第２の実施形態に係る屑巻上げ防止機構を備えたストリッピング型Ａ−１の作用について簡単に説明する。
図１１および図１２は、雄型の降下移動に伴い外屑が製品部から打ち抜き分離されるときの状態を段階的に示す要部の拡大縦断面図である。ここでは、図５を適宜参照しながら説明する。
なお、ここでは、図５から図８のそれぞれの（ａ）に示す雄型Ａ１の降下移動開始位置から雄型Ａ１の屑押出し部材２の屑押圧部２ａが外屑ｂ１に当たり、なおかつ、その直前において図５および図６の（ｂ）に示すように、雄型Ａ１の屑押え部材３が外屑ｂ１に突き刺さってシートＳを串刺し保持するまでの動作過程において説明を省略する。
すなわち、図１１の（ａ）示す降下開始位置から図１２の（ａ）の状態まで雄型Ａ１が降下移動し、雄型Ａ１の屑押出し部材２によって外屑ｂ１が、屑落し空間１５を通過して雌型Ａ２−１の裏側に打ち抜き分離されてきた後に、雄型Ａ１が雌型Ａ２−１から離れる上昇移動を開始して上昇待機位置に戻るときに、打ち抜き分離され、なおかつ、短尺に分断された外屑ｂ１は、図１２の（ｂ）に示すように、雌型Ａ２−１の外周縁部１０に連結部材１７の架橋部１７ａである屑受止め部１３ａ、そしてバネ製線材からなる第２の屑受止め部２０によって受け止め係止される。
【００４８】
このように構成されている第２の実施形態に係る屑巻上げ防止機構を備えたスリップリング型Ａ−１によれば、雄型Ａ１が雌型Ａ２−１から離れる上昇移動のときに、製品部Ｂから雌型Ａ２−１の裏側に打ち抜き分離された外屑ｂ１が、製品部Ｂの上や雌型Ａ２の上に巻き上げられる（舞い上げられる）ことをより一層効果的に防ぐことができる。
【００４９】
≪第３の実施形態に係るストリッピング型の構成≫
図１３は、第３の実施形態に係る屑巻上げ防止機構を備えたストリッピング型を構成する雄型および雌型を示す斜視図であり、図１４は、雄型の一部（屑押え部材）を示す拡大縦断面図であり、図１５は、雌型の一部（屑受止め部）を示す拡大斜視図および縦断面図である。
なお、この第３の実施形態に係るストリッピング型Ａ−２では、図１３および図１４に示すように、雄型Ａ１−２側に備えられる屑押え部材２２を１本のピン部材から形成している。そして、図１３および図１５に示すように、雌型Ａ２−２の外周縁部１０に備えられている屑受止め部２３に屑分断部２４を備えている。それ以外の構成要素においては前記の第１、第２の実施形態に係るストリッピング型Ａ，Ａ−１と基本的に同じことから、同じ構成要素に同じ符号を付することで重複説明は省略する。
【００５０】
すなわち、図１３および図１４に示すように、屑押え部材２２は、１本のピン部材（軸部材）を用いて所定の長さに形成されているとともに、下端に略尖がり形状の串刺し刃２５を備えている。
なお、図示例では、串刺し刃２５を１本のみ突出させた構造としているが、２乃至４本などの複数本を突出させた構造とすることができる。
【００５１】
そして、屑受止め部２３は、前記の第２の実施形態詳述の連結部材１７の架橋部１７ａを、図１５および図１７に示すように、型板９の板厚内で、縦断面視で略逆向き三角形状（略逆向きＶ字形状）に形成することで、架橋部１７ａに備えられ、その頂部に、外屑ｂ１を短尺に分断するための屑分断部２１を備えている。
これにより、後記の図１９の（ｃ）から（ｅ）に示すように、外屑ｂ１が製品部Ｂから打抜き分断されるときのカット線Ｙからの短尺分断がより速やかで、かつ、確実に行われるようにしている。すなわち、打抜き屑ｂの製品部Ｂからの打ち抜き分離作業の高速化に対応させた打抜き屑ｂの短尺分断構造としている。
【００５２】
また、屑受止め部２３は、図１８に示すように、連結部材１７の架橋部１７ａを型板９の板厚内で、縦断面視で略逆向きＴ字形状に形成することで、架橋部１７ａに備えられ、その頂部に屑分断部２４を備えている。
【００５３】
また、雌型Ａ２−２は、前記第１、第２の実施形態詳述の弾性材料からなる屑受止め部１４に変わる屑受止め部材２６を備えている。
この屑受止め部２６は、雌型Ａ２−２を形成する型板９に削り加工を施すことで、図１３および１５に示すように、雌型Ａ２−２の外周縁部１０における屑受止め部２３の間において平面視で略半円状で、型板９の板厚にて外向き凸状に形成されている。
これにより、図１９に示すように、製品部Ｂから雌型Ａ２−２の裏側に打ち抜き分離された打抜き屑ｂを、屑受止め部２３との協同で受止め係止するようになっている。
【００５４】
[作用説明]
つぎに、以上のように構成されている第３の実施形態に係る屑巻上げ防止機構を備えたストリッピング型Ａ−２の作用について簡単に説明する。
図１９は、雄型の降下移動に伴い外屑が製品部から打ち抜き分離されるときの状態を段階的に示す要部の拡大縦断側面図である。ここでは、図２を適宜参照しながら説明する。
【００５５】
図１９の（ａ）に示す状態から雄型Ａ１−２がさらに降下移動し、図１９の（ｂ）に示すように、雄型Ａ１−２の各屑押出し部材２の屑押圧部２ａが製品部Ｂの外屑ｂ１（打抜き屑ｂ）に当たる。このとき、屑押出し部材２が外屑ｂに当たる直前において、図１９の（ｂ）に示すように、屑押え部材２２の串刺し刃２５が、屑受止め部１３，１４の近く位置で外屑ｂ１に突き刺さる。これにより、雌型Ａ２−２上のシートＳは定位置に移動不能に串刺し保持される。
【００５６】
そして、さらに継続する雄型Ａ１−２の降下移動に伴い外屑ｂ１（打抜き屑ｂ）が、屑押出し部材２および屑押え部材２２によって図１９の（ｂ）に示す状態からさらに押されることで、図１９の（ｃ）に示すように、製品部Ｂから打ち抜き分離されると同時に、屑受止め部２３の屑分断部２４によって、図２の（ａ）および（ｂ）に示す各カット線Ｙから図２の（ｃ）に示すように、短尺に分断される。
【００５７】
このようにして、製品部Ｂから打ち抜き分離され、なおかつ、屑受止め部２３の屑分断部２３によってカット線Ｙから短尺に分断された外屑ｂ１が、図１９の（ｄ）に示すように、雌型Ａ２−２の裏側に押し出されると、雄型Ａ１−２は雌型Ａ２−２から離れる上昇移動を開始し、上昇待機位置に戻される。このとき、雌型Ａ２−２の裏側に打ち抜き分離され、なおかつ、短尺に分断された外屑ｂ１は、図１９の（ｅ）に示すように、屑受止め部２３，２６によって受け止め係止される。これにより、屑押え部材２２の串差し刃２５による外屑（打抜き屑）の串刺し保持状態が解除される。
【００５８】
このように構成されている第３の実施形態に係る屑巻上げ防止機構を備えたストリッピング型Ａ−２によれば、雄型Ａ１−２の降下移動によって雌型Ａ２−２の上に支持されている製品部Ｂから打抜き屑ｂを、雌型Ａ２−２の裏側に打ち抜き分離すると同時に、屑受止め部２３の屑分断部２４によってカット線Ｙから速やかに、かつ、確実に分断して雌型Ａ２−２に備えられている屑受止め部２３，２６に受け止め係止させることができる。
これにより、雄型Ａ１−２が雌型Ａ２−２から離れる上昇移動時に発生する風圧などによって、雌型Ａ２−２の裏側に打ち抜き分離された打抜き屑ｂが製品部Ｂの上や雌型Ａ２の上に巻き上げられる（舞い上げられる）ことを防ぐことができ、しかも、その打ち抜き分離作業の高速化が期待できる。
【００５９】
なお、本発明の実施形態の具体的な構成は、前記した各実施形態に限られるものではなく、請求項１〜７に記載の本発明の要旨を逸脱しない範囲で設計変更などがあっても本発明に含まれるものである。
例えば、本実施形態に係る屑巻上げ防止機構を備えたストリッピング型は、前記の第１〜第３の実施形態の各構成要素の組み合わせによって構成することができる。
すなわち、打抜き屑ｂを串刺し保持する屑押え部材を、バネ材３ｃを備えて串刺し刃４を有する支持部３ａを上下に移動可能に形成されている屑押え部材３と、串刺し刃２５を有して一体に形成されている屑押え部材２２との双方を用いて、雄型Ａ１、Ａ１−２を構成するなどの組み合わせとすることができる。
【００６０】
また、屑押え部材３の支持部３ａ、屑押え部材２２は、所定の長さを有する板材などを用いて、下端（先端）に鋸刃状などの串刺し刃を有する構造、形状に形成することができる。
【００６１】
また、屑受止め部１３は、製品部Ｂから雌型Ａ２の裏側に打ち抜き分離された打抜き屑ｂを受け止め係止することができる構造、形状であれば、特に限定されるものではない。例えば、金属製や合成樹脂製の帯板材を、ネジ止めなどによって雌型Ａ２の外周縁部１０から外向きに突出状に取り付けることで、その外向き突出部を、雌型Ａ２の裏側に打ち抜き分離された打抜き屑ｂ（外屑ｂ１）を受け止め係止させる屑受止め部とすることができる。つまり、別部材を用いて雌型Ａ２，Ａ２−１，Ａ２−２の外周縁部１０に屑受止め部１３を備えることができる。
【符号の説明】
【００６２】
Ａ，Ａ−１，Ａ−２  ストリッピング型
Ａ１，Ａ１−２  雄型
Ａ２，Ａ２−１，Ａ２−２  雌型
１，９  型板
２      屑押出し部材
３，２２  屑押え部材
３ａ    支持部
３ｂ    串刺し解除部
３ｃ    バネ材
４，２５  串刺し刃
６      取付け筒体
１０    外周縁部（雌型側）
１３，１３ａ，１４，２３，２６  屑受止め部（屑巻上げ防止機構）
１５    屑落し空間
１６    外枠部材
２４    屑分断部
Ｂ      製品部
ｂ      打抜き屑
ｂ１    外屑
ｂ２    内屑
Ｘ      打抜き切断線
Ｙ      カット線
【図１】
2010110888.tif 000003
【図２】
2010110888.tif 000004
【図３】
2010110888.tif 000005
【図４】
2010110888.tif 000006
【図５】
2010110888.tif 000007
【図６】
2010110888.tif 000008
【図７】
2010110888.tif 000009
【図８】
2010110888.tif 000010
【図９】
2010110888.tif 000011
【図１０】
2010110888.tif 000012
【図１１】
2010110888.tif 000013
【図１２】
2010110888.tif 000014
【図１３】
2010110888.tif 000015
【図１４】
2010110888.tif 000016
【図１５】
2010110888.tif 000017
【図１６】
2010110888.tif 000018
【図１７】
2010110888.tif 000019
【図１８】
2010110888.tif 000020
【図１９】
2010110888.tif 000021
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
展開形状に打ち抜き処理されたシートの製品部から打抜き屑を分離する雄型と雌型とを備えて構成されているストリッピング型であって、
前記雄型は、前記製品部の前記展開形状に沿って配設される屑押出し部材を備え、かつ、前記屑押出し部材により前記打抜き屑が前記製品部から打ち抜き分離されるときに、前記打抜き屑を串刺し保持する屑押え部材を備え、
前記雌型は、前記製品部の前記展開形状と略相似形状に形成されて前記製品部全体を前記雄型との対面側において支持可能となし、かつ、前記打抜き屑が前記屑押出し部材によって前記製品部から前記対面側に対し、前記雌型の反対側に打ち抜き分離されたときに、当該反対側において前記打抜き屑を受け止め係止する屑受止め部を備えてなり、
前記屑受止め部は、前記雄型との前記対面側を頂部としてこの頂部に前記打抜き屑を短尺に分断するための屑分断部を備え、かつ、前記屑分断部から前記雌型の前記反対側に向けた略末広がり形状に形成されていることを特徴とする屑巻上げ防止機構を備えたストリッピング型。
【請求項２】
前記屑押出し部材は、前記製品部の前記展開形状に沿いその展開縁部方向に所定の間隔をおいて並列状に配設されて、当該展開縁部に沿って一連に連なった状態で前記製品部に繋ぎ部を介して繋ぎ止められている前記打抜き屑を、前記屑受止め部との協同で短尺に分断し、短尺に分断された前記打抜き屑を前記屑押え部材との協同で前記雌型の前記反対側に打ち抜き分離するようになし、
前記屑受止め部は、前記屑押出し部材の間に対応して前記雌型の外周縁部に備えられて、短尺に分断された前記打抜き屑を前記雌型の前記反対側に受け止め係止するように形成されていることを特徴とする請求項１に記載の屑巻上げ防止機構を備えたストリッピング型。
【請求項３】
前記雌型は、外周縁部に沿って、該外周縁部との間に前記打抜き屑の屑落し空間を確保するように外枠部材を備えていることを特徴とする請求項１または請求項２に記載の屑巻上げ防止機構を備えたストリッピング型。
【請求項４】
前記屑押え部材は、前記打抜き屑を串刺し保持する串刺し刃を備えて、前記打抜き屑が前記製品部から打ち抜き分離されるときに、前記屑受止め部に近い位置にて前記打抜き屑を串刺し保持するように、前記雄型に配設されていることを特徴とする請求項１〜３のいずれかに記載の屑巻上げ防止機構を備えたストリッピング型。
【請求項５】
前記屑押え部材は、前記串刺し刃を有する支持部と、
この支持部の外側に摺動可能に被嵌されて、前記雄型が前記雌型から離間するときに、前記シートに対する前記支持部の串刺し状態を解除するための串刺し解除部と、
この串刺し解除部を前記支持部の前記串刺し刃方向に付勢する弾発材と、を備えて構成されていることを特徴とする請求項１〜４のいずれかに記載の屑巻上げ防止機構を備えたストリッピング型。
【請求項６】
前記屑受止め部は、前記雌型を形成する型板を削り加工することで、該雌型の外周縁部に外向き突出状に備えられていることを特徴とする請求項１〜５のいずれか１項に記載の屑巻上げ防止機構を備えたストリッピング型。
【手続補正２】
【補正対象書類名】明細書
【補正対象項目名】全文
【補正方法】変更
【補正の内容】
【発明の詳細な説明】
【技術分野】
【０００１】
本発明は、屑巻上げ防止機構を備えたストリッピング型に係り、特に、段ボール紙、厚紙などの紙製素材からなるシートに箱体などの展開形状に打ち抜き処理された後に、シートの製品部から不要な打抜き屑を打ち抜き分離するための雄型と雌型とを備えて構成されているストリッピング型に関する。
【背景技術】
【０００２】
例えば、包装用箱体は、段ボール紙、厚紙などの紙製素材からなるシート（ブランクシート）から包装すべき内容物のよって様々な製品形状に自動製函機によって打ち抜かれて形成される。また、同じく、包装用箱体内を内容物の応じて様々に仕切るように内設される仕切り体も自動製函機によって打ち抜かれて形成される。
自動製函機では、まず、製函ラインにシートが給紙され、製函ラインに装備されている雄型と雌型とを有する平盤打抜き型装置によってシートに展開された製品形状（箱体の展開形状）が裁断される打ち抜き処理（切り込み処理）が行われる。このとき、製品形状に裁断された製品部と製品部以外の打抜き屑とは繋ぎ部を介してシートに繋ぎ止められている。
つぎに、製函ラインにおける平盤打抜き型装置のデリバリー部に装備されている雄型と雌型とを有するストリッピング型によってシートの製品部から不要な打抜き屑を打ち抜いて分離して除去する打抜き屑の分離処理（ストリッピング処理）が行われることで、展開された包装用箱体などが製作されるようになっている。
【０００３】
近年では、自動製函機による包装用箱体などの展開された製品部を、シートから打ち抜き加工することが高速化されてきており、このよう状況に対応させたストリッピング型の開発が求められてきている。特に、平盤打抜き型装置によって打ち抜き処理された後に、繋ぎ部を介して製品部に繋ぎ止められている不要な打抜き屑を製品部から分離して除去するためのストリッピング型の高速化対応が求められてきている。
【０００４】
そこで、展開された製品形状に打ち抜き処理されたシートの製品部から不要な打抜き屑を分離して除去するためのストリッピング型としては、例えば、特許文献１から特許文献３などにおいて知られている。
【先行技術文献】
【特許文献】
【０００５】
【特許文献１】特開平１０−５９４号
【特許文献２】特開２０００−３０８９９５号
【特許文献３】特開２００７−１７５８０５号
【発明の概要】
【発明が解決しようとする課題】
【０００６】
しかしながら、特許文献１〜特許文献３において開示されている従来技術では、雌型の表側に搬入支持されたシートの製品部から打ち抜かれて雌型の裏側に向けて分離された不要な打抜き屑が、雌型の表側に巻き上げられることを防ぐ打抜き屑の屑巻上げ防止機構などを備えていない。
そのために、従来技術では、雄型の降下移動によって、雄型に備えられている屑押出し部材により製品部から打抜き屑を雌型の裏側に打ち抜き分離させた後に、雄型が上昇移動して雌型の上方に戻るときに、製品部から分離された打抜き屑が雌型の上や製品部の上に巻き上げられる（舞い上げられる）ことがある。
特に、打抜き屑を打ち抜き分離する分離ショット速度が高速で行われた場合などには、雄型が雌型から離れるときの雄型の上昇移動時に発生する風圧などによって分離された打抜き屑が雌型の上や製品部の上に巻き上げられることが起き易いものとなっていた。
【０００７】
打ち抜き分離された打抜き屑が、雌型の上に跳ね上った場合などには、つぎに雌型の上に搬入されたシートの製品部から打抜き屑を打ち抜き分離する分離ショット作業の妨げになるなどのおそれがあった。
また、製品部の上に打抜き屑が巻き上げられた場合には、製品部が数十枚単位で重ねられて商品の包装メーカに搬出されるときに、重ねられた製品部の間に打抜き屑が混入し、メーカの信頼性を低下させることになっていた。
【０００８】
そこで、本発明は、前記課題を解消するために創案されたものであり、製品部から打ち抜き分離された打抜き屑が、製品部の上や雌型の上に巻き上げられることを防ぐ打抜き屑の巻上げ防止機構を備えたストリッピング型を提供することにある。
【課題を解決するための手段】
【０００９】
前記課題を解決するために、本発明では、展開形状に打ち抜き処理されたシートの製品部から打抜き屑を分離する雄型と雌型とを備えて構成されているストリッピング型であって、
前記雄型は、前記製品部の前記展開形状に沿って配設される屑押出し部材を備え、かつ、前記屑押出し部材により前記打抜き屑が前記製品部から打ち抜き分離されるときに、前記打抜き屑を串刺し保持する屑押え部材を備え、前記雌型は、前記製品部の前記展開形状と略相似形状に形成されて前記製品部全体を前記雄型との対面側において支持可能となし、かつ、前記打抜き屑が前記屑押出し部材によって前記製品部から前記対面側に対し、前記雌型の反対側に打ち抜き分離されたときに、当該反対側において前記打抜き屑を受け止め係止する屑受止め部を備えてなり、前記屑受止め部は、前記雄型との前記対面側を頂部としてこの頂部に前記打抜き屑を短尺に分断するための屑分断部を備え、かつ、前記屑分断部から前記雌型の前記反対側に向けた略末広がり形状に形成されていることを特徴とする。
【００１０】
ここで、前記屑押出し部材は、前記製品部の前記展開形状に沿いその展開縁部方向に所定の間隔をおいて並列状に配設されて、当該展開縁部に沿って一連に連なった状態で前記製品部に繋ぎ部を介して繋ぎ止められている前記打抜き屑を、前記屑受止め部との協同で短尺に分断し、短尺に分断された前記打抜き屑を前記屑押え部材との協同で前記雌型の前記反対側に打ち抜き分離するようになし、前記屑受止め部は、前記屑押出し部材の間に対応して前記雌型の外周縁部に備えられて、短尺に分断された前記打抜き屑を前記雌型の前記反対側に受け止め係止するように形成されていることが好適なものとなる。
【００１１】
そして、前記屑受止め部は、前記雌型を形成する型板を削り加工することで、該雌型の外周縁部に外向き突出状に備えられていることが好適なものとなる。
【００１２】
また、前記屑押え部材は、前記打抜き屑を串刺し保持する串刺し刃を備えて、前記打抜き屑が前記製品部から打ち抜き分離されるときに、前記屑受止め部に近い位置にて前記打抜き屑を串刺し保持するように、前記雄型に配設されていることが好適なものとなる。
【００１３】
また、前記雌型の外周縁に沿って、該外周縁との間に少なくとも前記打抜き屑の打抜き幅に相当する空間を確保するように外枠部材を備えていることが好適なものとなる。
前記雌型の対面側とは、主に雌型の表側を意味し、反対側とは、主に雌型の裏側を意味する。
【００１４】
このような構成によれば、雄型の屑押出し部材により、製品部から雌型の裏側に打ち抜き分離された打抜き屑は、雌型に備えられている屑受止め部によって受止め係止される。これにより、雄型が雌型から離れる雄型の移動のときに、打ち抜き分離された打抜き屑が製品部の上や雌型の上に巻き上げられる（舞い上げられる）ことを防ぐことができる。このとき、打抜き屑は、屑押出し部材の並列方向の幅に相当する長さの短尺に屑受止め部の分断部によって分断されて雌型の裏側に打ち抜き分離され、分断縁部が屑受止め部に受け止め係止される。
また、雄型の屑押出し部材によって雌型の裏側に打ち抜き分離された打抜き屑の跳ね上りを、雌型の外周縁に沿って備えられている外枠部材によって防ぐことができる。つまり、分離された打抜き屑の跳ね上がりを、分離屑受け止めと外枠部材との協同でより確実に防ぐことができる。
【００１５】
また、本発明では、前記屑押え部材が、先端に串刺し刃を有する支持部と、この支持部の外側に摺動可能に被嵌されて、前記雄型が前記雌型から離間するときに、前記シートに対する前記支持部の串刺し状態を解除するための串刺し解除部と、この串刺し解除部を前記支持部の前記串刺し刃方向に付勢する弾発材とを備えて構成されていることを特徴とする。
【００１６】
このような構成によれば、前記のように、製品部から打抜き屑が打ち抜き分離されるときに、雌型の上にシートを串刺し保持する屑押え部材は、串差し刃を有する支持部に、シート（打抜き屑）に対する串刺し状態を解除させるための串刺し解除部を串刺しバネ材により串刺し刃方向に付勢させて備えている構成としていることで、打抜き屑を雌型の裏側に打ち抜き分離させた後に、雄型が雌型から離間する雄型の移動のときに、シート（打抜き屑）に対する串刺し状態を確実に解除させることができる。
【発明の効果】
【００１７】
本発明の屑巻上げ防止機構を備えたストリッピング型は、以上のように構成されていることで、雄型の屑押出し部材によって雌型の裏側に打ち抜き分離された打抜き屑を、雌型側に備えられている屑受け止め部によって受け止め係止することができることで、雄型が雌型から勢いよく離れる動きによって打抜き屑が製品部の上や雌型の上（表側）に巻き上げられる（舞い上げられる）ことを確実に防ぐことができる。
これにより、打抜き屑を製品部から打ち抜き分離する打抜きショット速度の高速化に対応してシートの製品部からの打抜き屑の打ち抜き分離が可能となる。換言すれば、包装用箱体などを効率的に製函することが可能となる。
【００１８】
また、雄型の降下移動によって雌型の上に支持されている製品部から打抜き屑を、雌型の裏側に打ち抜き分離すると同時に、雄型との対面側頂部に備えられている屑受止め部の屑分断部によって打抜き屑を短尺に分断し、短尺に分断した打抜き屑を屑受止め部の幅広下面によって雌型の裏側に受け止め係止させることができる。
これにより、雄型が雌型から離れる上昇移動時に発生する風圧などによって、雌型の裏側に打ち抜き分離された打抜き屑が製品部の上や雌型の上に巻き上げられる（舞い上げられる）ことを防ぐことができ、しかも、その打ち抜き分離作業の高速化が、屑分断部による打抜き屑の速やか、かつ、確実な短尺分断によって期待できる。
【図面の簡単な説明】
【００１９】
【図１】本実施形態に係る屑巻上げ防止機構を備えたストリッピング型の雄型と雌型を示す概略斜視図である。
【図２】打ち抜き処理されたシートの製品部の一例を示し、（ａ）は、同シートの斜視図であり、（ｂ）は、打抜き屑の斜視図であり、（ｃ）は、短尺に分断された打抜き屑の斜視図である。
【図３】雄型を示し、（ａ）は、同雄型の底面図であり、（ｂ）は、（ａ）のｂ−ｂ線拡大縦断面図である。
【図４】雄型の一部（屑押え部材）を示す拡大縦断面図である。
【図５】雌型の一部（他の実施形態の屑受止め部）を示す拡大斜視図である。
【図６】図５のＶＩ−ＶＩ線縦断面図である。
【図７】図６のＶＩＩ−ＶＩＩ線縦断面図である。
【図８】屑分断部を備える屑受止め部の他の実施形態示す同縦断面図である。
【図９】雄型の降下移動に伴い外屑が製品部から打ち抜き分離されるときの状態を段階的に示す拡大縦断側面図であり、（ａ）は、シートが搬入された雌型に向けて雌型が降下移動を開始した状態を示し、（ｂ）は、外屑が雄型の屑押え部材によって串刺し保持された状態を示し、（ｃ）は、雄型の屑押出し部材によって外屑が雌型の裏側に打抜き分離される状態を示し、（ｄ）は、外屑が雌型の裏側に打抜き分離された状態を示し、（ｅ）は、雄型が上昇移動し、分離された外屑が、雌型側に備えられている屑受止め部によって受け止め係止された状態を示す。
【発明を実施するための形態】
【００２０】
以下、本発明の実施形態について、適宜図面を参照しながら詳細に説明する。
図１は、本実施形態に係る屑巻上げ防止機構を備えたストリッピング型の雄型と雌型を示す概略斜視図であり、図２は、打ち抜き処理されたシートの一例を示す斜視図である。
なお、本実施形態では、打ち抜き処理によってシートに形成される製品部Ｂの一例として、図２に示すように、包装用箱体内に内設される仕切り板を挙げて説明する。
【００２１】
≪ストリッピング型の構成≫
ストリッピング型Ａは、図示省略の打抜き型装置によって展開形状に打ち抜き処理されたシートＳの製品部Ｂから打抜き屑ｂを分離するように構成されている。
このストリッピング型Ａは、図１に示すように、雄型Ａ１と、この雄型Ａ１の下方に設置される雌型Ａ２とを備えて構成されている。
【００２２】
なお、打抜き屑ｂには、図２に示すように、展開された製品部Ｂの展開縁部に沿って一連に連なった状態で打ち抜き処理（切り込み処理）された後に、製品部Ｂから打ち抜き分離される外屑（トリムとも称されている）ｂ１と、製品部Ｂの内側において打ち抜き処理された後に製品部Ｂから打ち抜き分離される内屑（孔形成屑とも称されている）ｂ２がある。
【００２３】
≪雄型の構成≫
図３は、雄型を示す底面図および要部の拡大縦断面図である。ここでは、図１を適宜参照しながら説明する。
雄型Ａ１は、打ち抜き処理されたシートＳが雌型Ａ２の上に搬入されたときに、雌型Ａ２に向けて降下するように、雌型Ａ２の上方において上下動自在に配設される。
【００２４】
この雄型Ａ１は、適宜の板厚を有する合板などの板材を用いて、展開形状の製品部Ｂが打ち抜き処理されるシートＳよりも広い面積にて形成される型板１を備えている。
そして、雌型Ａ１は型板１の下面に、図１および図３に示すように、打ち抜き処理されたシートＳの製品部Ｂの展開形状に沿ってそれぞれ配設される屑押出し部材２と、屑押え部材３とを備えている。
【００２５】
≪屑押出し部材の構成≫
屑押出し部材２は、製品部の展開形状に沿いその展開縁部方向に所定の横幅を有し、下端に屑押圧部２ａを有する縦断面視で略Ｌ字形状に形成されている。
そして、屑押出し部材２は、打ち抜き処理によりシートＳに形成される製品部Ｂの打抜き切断線Ｘに近接する位置において打抜き屑ｂを押圧し、なおかつ、図３に示すように、打抜き切断線Ｘに沿い、その打抜き切断線Ｘ方向に所定の間隔をおいて型板１の下面にそれぞれ配設される。
つまり、屑押出し部材２は、図３の（ａ）に示すように、シートＳの打抜き屑ｂとそれぞれ対応する位置において型板１の下面に植設されて、その内側に雌型Ａ２が型合わせ嵌合されるようになっている。
【００２６】
≪屑押え部材の構成≫
屑押え部材３は、屑押出し部材２によって製品部Ｂから打抜き屑ｂが打ち抜き分離（押し出し分離）される直前において、雌型Ａ２の上に搬入されているシートＳ、特に、製品部Ｂに繋ぎ部Ｐを介して繋ぎ止められている打抜き屑ｂを串指し状態にて保持する。つまり、製品部Ｂから打抜き屑ｂが打ち抜き分離されるときに、シートＳが雌型Ａ２上の定位置（所定位置）から移動しないように串刺し保持する役目と、製品部Ｂから分離された打抜き屑ｂを、屑押出し部材２との協同で雌型Ａ２の裏側に押し出す役目を成す。
【００２７】
この屑押え部材３は、図３の（ｂ）に示すように、先端に串刺し刃４を有する支持部３ａと、この支持部３ａの外側に摺動可能に被嵌されて、雄型Ａ１が雌型Ａ２から離れるときに、打抜き屑ｂに対する支持部３ａの串刺し状態を解除するための串刺し解除部３ｂと、この串刺し解除部３ｂを支持部３ａの串刺し刃４方向に常時付勢するためのバネ材３ｃとを備えて構成されている。
【００２８】
支持部３ａは、所定の長さを有するピン形状に形成され、下端（先端）に略尖がり形状の串差し刃４を備えているとともに、上端（後端）には止着鍔部５を備えている。
この支持部３ａは、型板１に下面突出状に植設される取付け筒体６の開口上端に止着鍔部５を圧入やネジ込みなどの適宜の止着手段によって止着されることで、長さ方向の上半部側が取付け筒体６に遊嵌状に内在され、下半部側が取付け筒体６から下方へと突出された状態で型板１に取り付けられる。
【００２９】
串刺し解除部３ｂは、取付け筒体６内に移動可能な遊嵌状に挿入される外径を有する所定の長さの円筒形状（パイプ形状）に形成され、その上端（後端）に抜止め鍔部７を備えている。
これにより、串刺し解除部３ｂは、取付け筒体５内に抜動不能で移動可能に組み込まれ、抜止め鍔部７と取付け筒体６内の支持部３aの止着鍔部５との間に弾装されるコイル形状のバネ材３ｃによって支持部２aの串刺し刃４方向に常時付勢されるようになっている。つまり、図３の（ｂ）に示すように、支持部３aの串刺し刃４を下端（先端）開口部内に没入状に包囲するようになっている。
【００３０】
そして、このように形成されている屑押え部材３は、図３の（ｂ）に示すように、雄型Ａ１の型板１の下面からの屑押出し部材２の押圧部２ａよりも串刺し解除部３ｂをわずかに下方に位置させた垂設寸法にて型板１の下面に取付け筒体６を介して植設されてそれぞれの位置に配設される。
【００３１】
具体的に述べると、図１および図３の（ａ）に示すように、各屑押出し部材２の側部に位置し、なおかつ、打抜き屑ｂが製品部Ｂから打ち抜き分離されるときに、後記の屑受止め部１３，２３に近い位置にて打抜き屑ｂを串刺し保持するようにそれぞれ配設される。
これにより、屑押出し部材２の押圧部２ａによって打抜き屑ｂが製品部Ｂから雌型Ａ２の裏側に打ち抜き分離（押し出し分離）される直前において、串刺し解除部３ｂから支持部３ａの串刺し刃４が外部に飛び出して雌型Ａ２上で、屑受止め部１３，２３近くのシートＳの打抜き屑ｂ部分に突き刺さる串指し状態で打抜き屑ｂを保持するようになっている。
つまり、雄型Ａ１が、雌型Ａ１の上方待機位置から降下移動することで、継続する雄型Ａ１の降下移動に伴って串刺し解除部３ｂの下端開口部が打抜き屑ｂに突き当たったときに、串刺し解除部３ｂはバネ材３ｃの弾発力に反して後退（上昇）する。これにより、支持部３ａの串差し刃４が串刺し解除部３ｂから外部に飛び出し、串刺し刃４が打抜き屑ｂに突き刺さるシートＳの串刺し保持がなされるようになっている。
そして、さらに継続する雄型Ａ１の降下移動により打抜き屑ｂが屑押出し部材２によって製品部Ｂから雌型Ａ２の裏側へと打ち抜き分離され、打抜き屑ｂに掛かる屑押出し部材２の押圧が解かれたときに、串刺し解除部３ｂはバネ材３ｃの弾発力によって前進（下降）され、支持部３ａの串刺し刃４による打抜き屑ｂの串刺し保持状態を解除するようになっている。
【００３２】
このように構成されている屑押え部材３を採用することで、雄型Ａ１が雌型Ａ２から離間するときに、屑押出し部材２によって製品部Ｂから雌型Ａ２の裏側に打ち抜き分離された打抜き屑ｂに対する串刺し状態は確実に解除される。
これにより、屑受止め部１３，２３による打抜き屑ｂの受け止め係止との協同で、雄型Ａ１が雌型Ａ２から勢いよく離間（上昇移動）する動きによって打抜き屑ｂが製品部Ｂの上や雌型Ａ２の上（表側）に巻き上げられることをより一層効果的に、確実に防ぐことができる。
【００３３】
また、他の実施形態として、図４に示すように、屑押え部材２２を１本のピン部材から形成している。
すなわち、屑押え部材２２は、１本のピン部材（軸部材）を用いて所定の長さに形成されているとともに、下端に略尖がり形状の串刺し刃２５を備えている。
なお、図示例では、串刺し刃２５を１本のみ突出させた構造としているが、２乃至４本などの複数本を突出させた構造とすることができる。
【００３４】
また、雄型Ａ１は、図１および図３に示すように、型板１の下面要所に、打抜き屑ｂを製品部Ｂから打ち抜き分離するときに、シートＳの製品部Ｂを、雌型Ａ２との間で弾性的に支持するためのスポンジ材やゴム材その他の材料から形成されている弾性部材８を備えている。この弾性部材８は、型板１の下面からの屑押出し部材２の垂下寸法に相当する高さを有する略ブロック形状に形成されている。
これにより、雄型Ａ１と打抜き屑ｂが打ち抜き分離された製品部Ｂとを確実に分離するようにしている。つまり、雄型Ａ１の雌型Ａ２に対する型合わせによって製品部Ｂから打抜き屑ｂを打ち抜き分離させた後に、雄型Ａ１が雌型Ａ２から離れる上昇移動を開始したときに、製品部Ｂが屑押出し部材２の内側に引っ掛かるなどによって雄型Ａ１とともに上昇することを防ぐようにしている。
【００３５】
≪雌型の構成≫
ここでは、図１および図２を適宜参照しながら説明する。
雌型Ａ２は、適宜の板厚を有する合板などの板材を用いて、シートＳに形成された製品部Ｂの展開形状と略相似形状（略同一形状）に形成されて、製品部Ｂを表側（雄型Ａ１との対面側）で支持可能とする型板９を備えている。
そして、雌型Ａ２は、図１に示すように、内側の横長開口部１１の短辺両縁部や四角開口部１２に四隅コーナー部と、外周縁部１０に製品部Ｂから打ち抜き分離された打抜き屑ｂを受け止め係止する屑巻上げ防止機構の屑受止め部１３，２３をそれぞれ備えている。
【００３６】
また、雌型Ａ２は、図１に示すように、雌型Ａ２の外周縁部１０に沿って、該外周縁部１０との間に少なくとも打抜き屑ｂ（外屑ｂ１）の打抜き幅に相当する分離屑落し空間１５を確保するように外枠部材１６を一体に備えている。
この外枠部材１６は、前記した合板などの板材を用いて雌型Ａ２の型板９を分断・切削加工するときに、雌型Ａ２の三辺に沿う平面視で略コの字形状に形成されている。
そして、図１および５に示すように、外枠部材１６と雌型Ａ２−１の外周縁部１０とにわたり両者を連結するように架橋状に装着される連結部材１７を備えている。
【００３７】
連結部材１７は、金属、合成樹脂その他の硬質材料から、図５に示すように、両開放端部側が雌型Ａ２（型板９）の外周縁部１０と外枠部材１６とそれぞれ形成されている凹み部に嵌合された状態でそれぞれネジ１９を用いて取り付けられるように形成されている。
この連結部材１７は、少なくとも雄型Ａ１の各屑押え部材３の間に位置する配置にて、雌型Ａ２−１と外枠部材１６とを架橋状に連結するようにそれぞれ取り付けられる。
これにより、連結部材１７の架橋部１７ａが、後記の図９の（ｅ）に示すように、製品部Ｂから打ち抜き分離された外屑ｂ１を受け止め係止する屑受止め部２３として作用し、なおかつ、外屑ｂ１を雌型Ａ２の裏側に打ち抜き分離させるための屑落し空間（窓孔）１５を、雌型Ａ２の外周縁部１０と外枠部材１６との間に確保する。
【００３８】
≪屑受止め部の構成≫
屑受止め部１３，２３は、雄型Ａ１側の屑押出し部材２によってシートＳの製品部Ｂから雌型Ａ２の裏側に打ち抜き分離された打抜き屑ｂが、雄型Ａ１が雌型Ａ２から離れる上昇移動を開始したときに、その動きによって製品部Ｂの上や雌型Ａ２の上に巻き上げられる（舞い上げられる）ことを防ぐべく、打抜き屑ｂを雌型Ａ２の裏側（雄型Ａ１との対面側に対し、反対側）に受け止め係止する役目を成すものである（図９参照）。
【００３９】
屑受止め部１３は、雌型Ａ２を形成する型板９に削り加工を施すことで、横長開口部１１や四角開口部１２においては、抉られた凹みのように形成されて備えられている。
【００４０】
屑受止め部２３は、連結部材１７の架橋部１７ａを、図５および図７に示すように、雄型Ａ１との対面側（雌型Ａ２の表側）を頂部として、この頂部から型板９の板厚内で雌型の裏側（対面側に対し反対側）に向けた略末広がり形状に形成することで、頂部に外屑ｂ１を短尺に分断するための屑分断部２４（刃部）を備え、下面を短尺に分断された打抜き屑ｂを受け止めるために幅広とする縦断面視で略逆向き三角形状（略逆向きＶ字形状）となして架橋部１７aに備えられる。
これにより、後記の図９の（ｃ）から（ｅ）に示すように、外屑ｂ１が製品部Ｂから打抜き分断されるときのカット線Ｙからの短尺分断が屑分断部２４によって速やかに、かつ、確実に行われるようにしている。すなわち、打抜き屑ｂの製品部Ｂからの打ち抜き分離作業の高速化に対応させた打抜き屑ｂの短尺分断と、その受止め係止とを兼ねた構造としている。
【００４１】
また、屑受止め部２３は、図８に示すように、連結部材１７の架橋部１７ａを型板９の板厚内で、前記のように略末広がり形状に形成することで、頂部に外屑ｂ１を短尺に分断するための屑分断部２４（刃部）を備え、下面を短尺に分断された打抜き屑ｂを受け止めるために幅広とする縦断面視で略逆向きＴ字形状となして架橋部１７ａに備えられる。
【００４２】
また、雌型Ａ２は、屑受止め部２６を備えている。この屑受止め部２６は、雌型Ａ２を形成する型板９に削り加工を施すことで、図５に示すように、雌型Ａ２の外周縁部１０における屑受止め部２３の間において平面視で略半円状で、型板９の板厚にて外向き凸状に形成されている。
これにより、後記の図９に示すように、製品部Ｂから雌型Ａ２の裏側に打ち抜き分離された打抜き屑ｂを、屑受止め部２３との協同で受止め係止するようになっている。
【００４３】
[作用説明]
つぎに、以上のように構成されている本実施形態に係る屑巻上げ防止機構を備えたストリッピング型Ａの作用について簡単に説明する。
図９は、雄型の降下移動に伴い外屑が製品部から打ち抜き分離されるときの状態を段階的に示す要部の拡大縦断側面図である。ここでは、屑押え部材として、１本のピン部材からなる屑押え部材２２を適用させて例において、図２を適宜参照しながら説明する。
【００４４】
図９の（ａ）に示す状態から雄型Ａ１−２がさらに降下移動し、図９の（ｂ）に示すように、雄型Ａ１−２の各屑押出し部材２の屑押圧部２ａが製品部Ｂの外屑ｂ１（打抜き屑ｂ）に当たる。このとき、屑押出し部材２が外屑ｂに当たる直前において、図９の（ｂ）に示すように、屑押え部材２２の串差し刃２５が、屑受止め部２３，１４の近く位置で外屑ｂ１に突き刺さる。これにより、雌型Ａ２上のシートＳは定位置に移動不能に串刺し保持される。
【００４５】
そして、さらに継続する雄型Ａ１の降下移動に伴い外屑ｂ１（打抜き屑ｂ）が、屑押出し部材２および屑押え部材２２によって図９の（ｂ）に示す状態からさらに押されることで、図９の（ｃ）に示すように、製品部Ｂから打ち抜き分離されると同時に、屑受止め部２３の屑分断部２４によって、図２の（ａ）および（ｂ）に示す各カット線Ｙから図２の（ｃ）に示すように、短尺に分断される。
【００４６】
このようにして、製品部Ｂから打ち抜き分離され、なおかつ、屑受止め部２３の屑分断部２３によってカット線Ｙから短尺に分断された外屑ｂ１が、図９の（ｄ）に示すように、雌型Ａ２の裏側に押し出されると、雄型Ａ１は雌型Ａ２から離れる上昇移動を開始し、上昇待機位置に戻される。このとき、雌型Ａ２の裏側に打ち抜き分離され、なおかつ、短尺に分断された外屑ｂ１は、図９の（ｅ）に示すように、屑受止め部２３，２６によって受け止め係止される。
これにより、屑押え部材２２の串差し刃２５による外屑（打抜き屑）の串刺し保持状態が解除される。
【００４７】
このように構成されている本実施形態に係る屑巻上げ防止機構を備えたストリッピング型Ａによれば、雄型Ａ１の降下移動によって雌型Ａ２の上に支持されている製品部Ｂから打抜き屑ｂを、雌型Ａ２の裏側に打ち抜き分離すると同時に、雌型Ａ２に備えられている屑受止め部２３の屑分断部２４によってカット線Ｙから速やかに、かつ、確実に分断して幅広の屑受止め部２３の下面および屑受止め部２６によって雌型Ａ２の裏側に受け止め係止させることができる。
これにより、雄型Ａ１が雌型Ａ２から離れる上昇移動時に発生する風圧などによって、雌型Ａ２の裏側に打ち抜き分離された打抜き屑ｂが製品部Ｂの上や雌型Ａ２の上に巻き上げられる（舞い上げられる）ことを防ぐことができ、しかも、その打ち抜き分離作業（ストリッピング処理）の高速化が、屑分断部２４による打抜き屑ｂの速やか、かつ、確実な短尺分断によって期待することができる。
【００４８】
なお、本発明の実施形態の具体的な構成は、前記した各実施形態に限られるものではなく、請求項１〜６に記載の本発明の要旨を逸脱しない範囲で設計変更などがあっても本発明に含まれるものである。
例えば、頂部に屑分断部２４を有する屑受止め部２３を、屑受止め部２６と同じく、雌型Ａ２を形成する型板９に削り加工を施すことで、雌型Ａ２に一体に設けることができる。
【００４９】
また、雌型Ａ２は、打抜き屑ｂを串刺し保持する屑押え部材を、バネ材３ｃを備えて串刺し刃４を有する支持部３ａを上下に移動可能に形成されている屑押え部材３と、串刺し刃２５を有して一体に形成されている屑押え部材２２との双方を用いて構成するなどの組み合わせとすることができる。
【００５０】
また、屑押え部材３の支持部３ａ、屑押え部材２２は、所定の長さを有する板材などを用いて、下端（先端）に鋸刃状などの串差し刃を有する構造、形状に形成することができる。
【符号の説明】
【００５１】
Ａ      ストリッピング型
Ａ１    雄型
Ａ２    雌型
１，９  型板
２      屑押出し部材
３，２２  屑押え部材
３ａ    支持部
３ｂ    串刺し解除部
３ｃ    バネ材
４，２５  串刺し刃
６      取付け筒体
１０    外周縁部（雌型側）
１３，２３，２６  屑受止め部（屑巻上げ防止機構）
１５    屑落し空間
１６    外枠部材
２４    屑分断部
Ｂ      製品部
ｂ      打抜き屑
ｂ１    外屑
ｂ２    内屑
Ｘ      打抜き切断線
Ｙ      カット線
【手続補正３】
【補正対象書類名】図面
【補正対象項目名】図１
【補正方法】変更
【補正の内容】
【図１】
2010110888.tif 000022
【手続補正４】
【補正対象書類名】図面
【補正対象項目名】図４
【補正方法】変更
【補正の内容】
【図４】
2010110888.tif 000023
【手続補正５】
【補正対象書類名】図面
【補正対象項目名】図５
【補正方法】変更
【補正の内容】
【図５】
2010110888.tif 000024
【手続補正６】
【補正対象書類名】図面
【補正対象項目名】図６
【補正方法】変更
【補正の内容】
【図６】
2010110888.tif 000025
【手続補正７】
【補正対象書類名】図面
【補正対象項目名】図７
【補正方法】変更
【補正の内容】
【図７】
2010110888.tif 000026
【手続補正８】
【補正対象書類名】図面
【補正対象項目名】図８
【補正方法】変更
【補正の内容】
【図８】
2010110888.tif 000027
【手続補正９】
【補正対象書類名】図面
【補正対象項目名】図９
【補正方法】変更
【補正の内容】
【図９】
2010110888.tif 000028
【手続補正１０】
【補正対象書類名】図面
【補正対象項目名】図１０
【補正方法】削除
【補正の内容】
【手続補正１１】
【補正対象書類名】図面
【補正対象項目名】図１１
【補正方法】削除
【補正の内容】
【手続補正１２】
【補正対象書類名】図面
【補正対象項目名】図１２
【補正方法】削除
【補正の内容】
【手続補正１３】
【補正対象書類名】図面
【補正対象項目名】図１３
【補正方法】削除
【補正の内容】
【手続補正１４】
【補正対象書類名】図面
【補正対象項目名】図１４
【補正方法】削除
【補正の内容】
【手続補正１５】
【補正対象書類名】図面
【補正対象項目名】図１５
【補正方法】削除
【補正の内容】
【手続補正１６】
【補正対象書類名】図面
【補正対象項目名】図１６
【補正方法】削除
【補正の内容】
【手続補正１７】
【補正対象書類名】図面
【補正対象項目名】図１７
【補正方法】削除
【補正の内容】
【手続補正１８】
【補正対象書類名】図面
【補正対象項目名】図１８
【補正方法】削除
【補正の内容】
【手続補正１９】
【補正対象書類名】図面
【補正対象項目名】図１９
【補正方法】削除
【補正の内容】